(57)【要約】【課題】　腰部を中心に上半身と下半身を相互に逆回転させ、腰椎と胸椎に対して適切な矯正を比較的簡単に施すことを可能にするイス式脊椎矯正健康器具を提供すること。【解決手段】　イス式脊椎矯正健康器具本体は、回転可能に設けられ下半身が着座される座面用回転盤（３）と、上半身を支持する上半身用回転盤（２）が設けられ、下半身が着座する座面用回転盤と、上半身を支持する上半身用回転盤が相互に反対方向に任意の角度だけ往復回転駆動させることにより、腰部中心に脊柱の相対的に左右の回転の捻れ運動と上半身・下半身から筋肉の斜めの牽引作用を付与し、脊椎矯正を施す手段を具備したものである。【選択図】　図２
2004121854.tif 000002
【特許請求の範囲】
【請求項１】
　固定された本体に回転可能に設けられた下半身を着座する座面用回転盤と、上半身を固定する上半身用回転盤とが相互に反対方向に任意の角度だけ往復回転運動させることにより、人体に所定の矯正を施す手段を具備したことを特徴とするイス式脊椎矯正健康器具。
【請求項２】
上半身を固定する為の背もたれと両肘掛けが、上半身用回転盤に固定されて一体となって回転することを特徴とするイス式脊椎矯正健康器具。
【請求項３】
　電源スイッチ・タイマースイッチは肘掛に付設し、利用者の利便性を高めたことを特徴とするイス式脊椎矯正健康器具。
【請求項４】
　座面用回転盤と上半身用回転盤を相互に反対方向に回転させる際、一方向にある角度だけ回転させたところで所定時間停止させ、次いで、他方向にある角度だけ回転させたところで所定時間停止させ、以下これを繰り返すようにしたことを特徴とするイス式脊椎矯正健康器具。
【請求項５】
　座面用回転盤の高さが調節可能に構成されていることを特徴とするイス式脊椎矯正健康器具。
【請求項６】
　座面用回転盤と上半身用回転盤を相互に反対方向に回転させる際、その回転速度を調節可能にしたことを特徴とするイス式脊椎矯正健康器具。
【発明の詳細な説明】
【技術分野】
【０００１】　本発明は医療機械器具の技術分野に属する。
【背景技術】
【０００２】　従来の当該器具には回転イスと足置き台が一体で回転し、外設した固定ハンドルを握って腰部を回転させる方法があった。
【特許文献１】実開昭６１−３６６２５
【発明の開示】
【発明が解決しようとする課題】
【０００３】　従来の構造の器具では次のような問題点があった。
　すなわち従来の製品は腰の回転運動により、左右の捻り作用の反復による筋肉への刺激が鬱血状態を除去して血流を促進させる。それによって腰椎の矯正をし「ギツクリ腰」や「椎間板ヘルニア」の予防と治療ができる。
　しかし従来の器具では下半身の筋肉のみを一方的に強く牽引することになり、ギツクリ腰や椎間板ヘルニアの予防として用いる場合、筋肉が硬直状態を呈していると、下半身からの一方的な強い捻りと牽引は腱を傷めることがあり、同時に上記症状を罹患している場合は、腰椎から出ている神経の走行に沿って疼痛が生じることがある。又胸椎の矯正と上半身の背筋の疲労回復運動は十分出来ず、内臓諸器官への機能向上と全身の血流促進を得るまでに及ぶものではなかった。【０００４】　本発明はこのような欠点を補うように工夫されたものであり、その目的とするところは腰部を中心に上半身と下半身を相互に逆回転運動させることにより、腰椎の矯正と胸椎の矯正を、比較的簡易に同時に施すことを可能にするイス式脊椎矯正健康器具を提供することにある。
　この為にはイス式脊椎矯正健康器具の角度設定は、腰部の牽引と捻りに必要とされる角度の半分を任意の角度とする。上半身の回転により腰部から肩背部と腕の付根の筋肉までの牽引と捻り運動がなされ、同時に下半身が逆回転することにより腰部から膝までの筋肉の牽引と捻り運動となる。上半身・下半身の夫々が同等の軽い角度の刺激で筋肉に無理のない牽引と捻りを受け、その反復運動により脊椎が左右に捻れ、同時に背部全域に硬直した筋肉を柔軟にすることができる。
　即ち脊椎が矯正出来る理由は、イス式脊椎矯正健康器具に着座し両腕を肘掛に固定し、この状態で下半身に対して上半身が反回転することにより、下半身の回転によって腰椎の矯正がなされ、上半身の回転は胸椎の矯正を施すことになる。
【課題を解決するための手段】
【０００５】　上記目的を達成するべくイス式脊椎矯正健康器具は本体（１）に回転可能に設けられ、下半身が着座する座面用回転盤（３）と、上半身を固定する上半身用回転盤（２）とが相互に反対方向に所定の角度だけ往復回転運動させることにより人体に所定の矯正を施すことができる。【０００６】　イス式脊椎矯正健康器具は上半身を固定する為の背もたれ（５）と両肘掛け（４ａ）（４ｂ）が具備され、上半身用回転盤（２）に固定して背もたれと肘掛が一体となって回転させ上半身を捻り易くした。【０００７】　イス式脊椎矯正健康器具は電源スイッチ（１８）タイマースイッチ（１９）は肘掛に付設し操作の利便性を向上した。【０００８】　イス式脊椎矯正健康器具は、座面用回転盤（３）と上半身用回転盤（２）を相互に反対方向に回転させる際、一方向に所定角度だけ回転させたところで所定時間停止させ、次いで、他方向に所定角度だけ回転させたところで所定時間停止させ、以下これを繰り返すようにしたことを特徴とするものである。【０００９】　イス式脊椎矯正健康器具は、座面用回転盤（３）の高さが調節可能に構成されていることを特徴とされているものである。【００１０】　イス式脊椎矯正健康器具は、座面用回転盤（３）と上半身用回転盤（２）を相互に反対方向に回転させる際、その回転速度を調節可能にしたことを特徴とするものである。
【発明の効果】
【００１１】　上記による腰部を中心とした上半身・下半身の回転盤の相対的な回転により、双方から筋肉の斜めの牽引と左右の捻りによって、下半身のみで矯正する場合に必要とする回転角度の半分の角度で済み、これは筋肉に与える刺激も緩慢である。
　筋肉に刺激が必要な理由は、骨格自体は動く働きはなく、筋肉が腱を介して骨に付着しており、筋肉の伸縮によって骨格は動くので脊椎の矯正に関係する筋肉を柔軟にする為の刺激が必要である。
　背筋を伸縮させ脊柱を左右に捻り脊椎を矯正させる場合、下半身のみでの大きい角度の回転や牽引は腱を傷めやすいが、異なる角度から相互に緩やかに加える牽引の反復運動は、過度刺激とならず揉み凝り状態が生じない。深層部の薄い筋肉層が熱を帯びて血流が良くなり柔軟性が出てくると、椎骨と椎骨を連結させている深層の脊柱起立筋群が正常の伸縮性に戻り、従って脊椎の歪みが自然に正され、その結果脊椎矯正がなされていく。
　又背部全域の筋肉に左右の捻り運動がなされると、上腕骨の骨頭前面周辺に停止している背部の大きな筋群の一部は腰部周辺から起始し、又下半身の主力筋の起始部は、上半身の筋肉の起始部とほぼ同位置にあるものがある。この位置関係によりイス式脊椎矯正健康器具に着座し、両腕を肘掛に固定する形をとることにより、椅子の相対的な回転運動が始まると同時に、下半身は腰部から膝までの筋肉が牽引と捻れ作用により腰椎の矯正を施し、上半身の回転は腰部からの斜め上方の上腕骨頭前面周辺まで牽引と捻り運動がなされる。その反復作用により脊柱起立筋群が柔軟となり胸椎の矯正効果がより高められる。
　従って上記説明の如く筋肉の柔軟に伴なって椎骨が正常な位置に戻ることにより、結果として緩慢な刺激で無理なく脊椎矯正がなされる。又同時に脊髄神経が正常に機能することになり、それらの神経に支配されている心臓・肝臓・肺臓・消化器官・腎臓等の機能が促進され、新陳代謝が盛んとなり局所的な病巣にも治癒能力を高めることになる。
　又上半身の捻り運動は上腹部や側腹部全般の筋群に与える刺激も強く、脂肪の分解作用が促進され痩身も期待でき、同時に糖尿病・心臓病等にも良い影響を与える。
　本発明器具はイス式であり肘掛に両腕を乗せられ、全体構造がシンプルで持ち運び易い利点があり、テレビを見ながらも、家族団欒の中でも使用できる。
【発明を実施するための最良の形態】
【００１２】　本発明を実施するための最良の形態は、以下示す実施例、並びに、当該実施例に開示された技術思想から導かれるものである。
【実施例１】　以下図１〜図３を参照して本発明の第１実施例の形態を説明する。先ずイス式脊椎矯正健康器具は本体（１）があり下半身を回転させる座面用回転盤（３）と上半身を回転させる上半身用回転盤（２）が相互に反対方向に所定の角度だけ往復回転運動が可能に取り付けられている。背もたれ（５）と肘掛（４ａ）（４ｂ）は上半身用回転盤（２）に固定されている。それによって図３（ｂ）（Ｃ）に示すように使用者の腰部を中心にして斜め上方・下方に向かう筋肉の牽引作用と、左右の筋肉の捻れ作用を繰り返し脊椎矯正を施すものである。
　イス式脊椎矯正健康器具の本体（１）の中心位置にある上半身用中空シャフト（７）には、上半身用回転盤（２）と背もたれ（５）と両腕の肘掛（４ａ）（４ｂ）が固定されている。上半身用回転盤（２）はベアリング（１７）を介して本体（１）に支持され回転する。座面用回転盤（３）はベアリング（１７）を介して上半身用回転盤（２）上に回転自在に取付けられている。
　又座面用回転盤（３）は中心に固定され、下方に延長された座面用中空シヤフト（８）と結合しており、座面用中空シャフト（８）は上半身用回転盤（２）のシャフト内を貫通し回転可能な状態にある
　本体（１）には座面用回転盤（３）と上半身用回転盤（２）を反対方向に任意の角度に往復回転させるために減速モーター（６）が設置されている。
　減速モーター（６）には回転軸（９）を介し、上半身用クランク（１１）からクランクピン（１３）が接続され、上半身用レバー（１５）の長孔（２０）内で回転し、上半身用回転盤（２）を作動させる。
　一方座面用回転盤（３）を作動させる為には回転軸（９）の回転力は、座面用クランク（１０）からクランクピン（１２）を介して、座面用レバー（１４）に伝達される。
　レバー（１４）（１５）には長孔（２０）が形成されていて、上記クランクピンの往復揺動を可能にしている。【００１３】　以上の構成に基きその作用を説明する。
　減速モーター（６）の回転運動は回転軸（９）を介して１８０度の相対する位置に設けた座面用クランク（１０）、上半身用クランク（１１）を回転させることにより、クランクピン（１２）（１３）が座面用レバー（１４）、上半身用レバー（１５）に設けた長孔（２０）内を往復運動することにより、座面用レバー（１４）上半身用レバー（１５）を相互に反対方向に揺動させる。
　この回転角度はクランクピンの（１２）（１３）の位置を長孔（２０）域内を中空シャフト方向に適宜に移動することにより変化させることが出来る。移動は減速モーター（６）をガイド棒（１６）にそって左右に移動させることで可能としている
　又ガイド棒に表示される必要な角度範囲内で自由に回転角度を設定できる。
　ピン（１２）（１３）はクランク軸に対して１８０度の角度差で取りつけてあるのでクランクシャフトは同一方向に回転しても、座面用レバー（１４）、上半身用レバー（１５）は互いに反対方向に揺動出来るので本考案の目的とする下半身の座面用回転盤（３）と上半身用回転盤（２）が相互に反対方向に回転することが可能となる。
　又電源スイッチ（１８）と任意に設定出来るタイマースイッチ（１９）は肘掛に具備している。
　実施の際の状態を図３（ｂ）（ｃ）に示す。図３（ｂ）は着座部（３）側が右方向（図中矢印で示す方向）に回転し、上半身を固定する背もたれ（５）が左方向（図中矢印で示す方向）に回転している。図３（ｃ）に示す場合には逆に着座部（３）側が左方向（図中矢印で示す方向）に回転し、上半身を固定する背もたれ（５）が右方向（矢印で示す方向）に回転している。このような動作を繰り返すことにより、使用者の身体の腰部を中心にして，斜め上方・下方に行う筋肉の牽引力と左右の筋肉の捻れ作用を繰り返すことにより、所望の脊椎矯正を施すことが可能となる。
【実施例２】
【００１４】　図４を参照して本発明の第２の実施例の構造・機能を説明する。
　イス式脊椎矯正健康器具は本体（２１）に回転可能に設けられ下半身が着座する座面用回転盤（２２）と、上半身を回転させる上半身用回転盤（２６）とが相互に反対方向に任意の角度だけ往復回転運動可能に設置してある。
上半身用回転盤（２６）は背もたれ（２３）と肘掛（２４ａ）（２４ｂ）が一体となって本体（２１）と対してベアリング（３８）を介して回転可能に設置されている。
　又座面用回転盤（２２）には中心に固定され、下方に延長された座面用シャフト（２７）が設けられており、上半身用中空シャフト（２５）内にベアリング（３７）を介して回転可能としている。座面用シャフト（２７）の下端は軸受（２８）部によって回転が支持されている。
　上記イス式脊椎矯正健康器具の本体内には可逆回転モーター（２９）が設けられ回転軸（３０）に固定された傘歯車（３１）と、上半身用中空シャフト（２５）に固定された傘歯車（３２）と、座面用シャフト（２７）に固定された傘歯車（３３）が咬時している。
　又制御回路（３４）が設置されており、制御回路の調整によって可逆回転モーター（２９）は任意の角度で、正転・逆転するように構成されている。可逆回転モーター（２９）が回転することにより、傘歯車（３１）（３２）（３３）を介して、座面用シャフト（２７）と上半身用中空シャフト（２５）を相互に反対方向に所定の角度だけ往復回転運動させる。【００１５】　以上の構成を基にその作用を説明する。
　イス式脊椎矯正健康器具の使用者は、着座部の回転盤（２２）に着座し背もたれ（２３）に深く座り、肘掛（２４ａ）（２４ｂ）に両腕を置き上半身を固定させる。その状態で電源スイッチ（３５）を入れ操作をする。回転角度は制御回路（３４）を調整することによって任意に設定することができる。それにより可逆回転モーター（２９）の駆動によって回転軸と傘歯車（３１）が回転し、座面用回転盤（２２）と上半身用回転盤（２６）が相互に逆方向に往復回転運動することになり、腰部を中心に上半身と下半身に相対的な筋肉の捻れと牽引運動を付与して脊椎矯正を施すことが可能となる。
　従って第１実施例の場合と同様の効果を奏することができる。
　又上記相反の回転運動をさせるための手段の部品、装置の構成方法は、限定されておらず、図示したもの以外にも様々な構成方法がある。
【実施例３】
【００１６】　次に、図５を参照して本発明の第３の実施例の構造・機能を説明する。
　第１・２実施例の形態では、座面用回転盤（３）と上半身用回転盤（２）の相対回転させる場合において、連続的に回転させるようにしているが、例えば、第３実施例の形態の場合は、一方的に所定の角度だけ回転させた時点で、所定時間（例えば、２〜７秒程度）停止させ、次いで、他方向に回転させる。そこでも所定時間停止させる。それを繰り返すようにすることが可能となる。それによって筋肉の捻れと牽引運動の効果をより高めた脊椎矯正を施すことが可能となる。【００１７】　又第３の実施例の形態の場合には、座面用回転盤（３）の高さを適宜調節可能とし、それによって、様々な体格の使用者に対応しようとするものである。
　具体的には、四隅に高さ調節機構を設けたものである。この高さ調節機構は、雄ねじ部材（３９）と、そこに螺合する雌ねじ部材（４０）とから構成されていて、雌ねじ部材（４０）を適宜回転させることにより高さを調節するものである。
　尚、高さを調節する為の構成として、図示したものに限定されるものでなく、別の構成ねじによるもの、又油圧によって昇降させるもの等様々な構成が考えられる。【００１８】　第１・２の実施例の形態の場合には、座面用回転盤（３）と上半身用回転盤（２）の相対回転時の回転速度を一定として説明したが、これを調節可能にすることが出来る。
　例えば、個人の体質・体力によって刺激度が異なる場合があり、高齢者の場合には緩速とし、スポーツマン・若い人の場合には高速とするものである。それによって、使用者に合った筋肉の捻れ・牽引を施すことを可能にするものである。
　具体的には、例えば、可逆回転の変速モーター等を使用して、適宜設定することが考えられる。
【図面の簡単な説明】
【００１９】
【図１】　本発明の第１の実施の形態を示す図で、イス式脊椎矯正健康器具の器具の全体の構造を示す斜視図である。
【図２】　本発明の第１図の実施の形態を示す断面図で、図２（ａ）はイス式脊椎矯正健康器具の内部の構造を示す断面図で、図２（ｂ）は図２（ａ）のレバー（１４）（１５）の平面図である。
【図３】　本発明の第１図の実施の形態を示す図で、矯正動作を順次示す斜視図である。
【図４】　本発明の第２図の実施の形態を示す断面図で、イス式脊椎矯正健康器具の内部構造を示す断面図である。
【図５】　本発明の第３図の実施の形態を示す断面図で、イス式脊椎矯正健康器具の内部構造を示す断面図である。
【符号の説明】
【００２０】　１　本体
　２　上半身用回転盤
　３　座面用回転盤
　４　肘掛（ａ・ｂ）
　５　背もたれ
　６　減速モーター
　７　上半身用中空シャフト
　８　座面用中空シャフト
　９　回転軸
１０　座面用クランク
１１　上半身用クランク
１２，１３　クランクピン
１４　座面用レバー
１５　上半身用レバー
１６　ガイド棒
１７　ベアリング
１８　電源スイツチ
１９　タイマースイッチ
２０　長孔
２１　本体
２２　座面用回転盤
２３　背もたれ
２４　肘掛け（ａ・ｂ）
２５　上半身用中空シャフト
２６　上半身用回転盤
２７　座面用シャフト
２８　軸受
２９　可逆回転モーター
３０　回転軸
３１，３２，３３　傘歯車
３４　制御回路
３５　電源スイッチ
３６　ケーブル
３７，３８　ベアリング
３９　高さの調整用雄ねじ
４０　同台座兼用雌ねじ
４１　間欠運転モーター
【図１】
2004121854.tif 000003
【図２】
2004121854.tif 000004
【図３】
2004121854.tif 000005
【図４】
2004121854.tif 000006
【図５】
2004121854.tif 000007